(57)【要約】      （修正有）【課題】構造が簡便で、かつ取扱いが容易であり、携帯電話（スマートフォン）等の小物等の支持に適する携帯電話用か、タブレット又は小物用の支持台を提供する。【解決手段】側面視して山形形状となった支持台１は、背板２と、後板３とを三角山形形状に折曲げ形成するとともに、背板２の裾部２ａは、Ｌ形の載板５とし、載板５は、緩やかな上向き傾斜部５００と折れ曲り立上部５０１で形成し、載板５の立上部５０１と、後板３の裾部３ａとに被覆した樹脂製のガード材７を設ける構成とする。【選択図】図１
0003187419.tif 000002
【実用新案登録請求の範囲】
【請求項１】
側面視して山形形状となった支持台は、背板と、後板とを三角山形形状に折曲げ形成するとともに、前記背板の裾部は、Ｌ形の載板とし、この載板は、緩やかな上向き傾斜部と折れ曲り立上部で形成し、
この載板の立上部と、前記後板の裾部とを被覆する樹脂製のガード材を設ける構成とした携帯電話用か、タブレット又は小物用の支持台。
【請求項２】
前記背板の表面を鏡面とし、必要により、前記後板の表面を鏡面とする構成とした請求項１に記載の携帯電話用か、タブレット又は小物用の支持台。
【請求項３】
前記載板の傾斜部に、携帯電話、タブレット又は小物の底面（側面）を載せるとともに、前記背板の表面に、携帯電話、タブレット又は小物の後面（後側）を添接して、縦置き、又は横置きの置き方をする構成とした請求項１に記載の携帯電話用か、タブレット又は小物用の支持台。
【請求項４】
前記背板の表面の角度を確保するために、三角山形形状の折曲げ角度を、５０°〜６０°程度とする構成とした請求項１に記載の携帯電話用か、タブレット又は小物用の支持台。
【請求項５】
前記Ｌ形の載板を、背板の表面からの角度を、１００°〜１２５°程度とする構成とした請求項１に記載の携帯電話用か、タブレット又は小物用の支持台。
【考案の詳細な説明】
【技術分野】
【０００１】
本考案は、携帯電話（スマートフォン）用か、タブレット又は小物用の支持台に関する。
【背景技術】
【０００２】
携帯電話用か、タブレット又は小物用の支持台として、市販されているステンレス板を長手方向に、適宜、折曲げ形成したシンプルな支持台がある。例えば、図９に示した構造である。この構造は、簡便かつ軽量で、低コストが売り物である。しかしながら、携帯電話を受入れる、例えば、載板が設置面（卓上、棚面、机上、ダッシュボード等の平面）になく、所謂、空中に浮んで設置される構造であるので、安定性に欠けることが（転倒する虞が）考えられる。
【０００３】
先行文献として、実用新案において、登録第３１７８３２３号公報において、可撓性部材を折曲げ形成し、底板部と背板部からなる側面視して、Ｌ形形状のスマートフォン専用スタンドが示されており、スマートフォンを、背板部の表面に添接するとともに、この表面に突設した支持部材に載架する構造である。この考案は、構造が簡便で、かつ取扱いが容易である等の特徴を有する。しかし、前述した、市販の支持台と同様な問題を抱えていると考えられる。また、この考案は、背板部に吸着カバーを設ける構造とすることで、スマートフォンを確実に取付けできる特徴を有する。しかし、スマートフォン用支持台としての使用に限定されると考えられ、利用分野が狭いことが問題となる。
【０００４】
【特許文献１】実用新案登録第３１７８３２３号公報
【考案の概要】
【考案が解決しようとする課題】
【０００５】
従来の構造は、携帯電話用か、タブレット又は小物用の支持台として、安定的、汎用的な使用において、必ずしも、十分でないので、改良が望まれている。
【０００６】
殊に、従来の構造で、かつステンレス板材を、折曲げ形成した構造において、携帯電話用か、タブレット又は小物用の支持台とし、設置面に安定し、かつ簡易に利用することが困難視され、かつ有用性に問題を残すと考えられる。
【０００７】
さらに、従来の文献においても、前述の従来の構造と同様な、改良が望まれ、かつ前記有用性が望まれる処である。
【課題を解決するための手段】
【０００８】
上記に鑑み、本考案は、携帯電話用か、タブレット又は小物用の支持台として、最適な構造、即ち、側面視して山形形状となった支持台を、背板と、後板とを三角山形形状に折曲げ形成し、背板の裾部には、Ｌ形の載板を設け、載板は、緩やかな上向き傾斜部と折れ曲り立上部で形成するとともに、載板の立上部と、後板の裾部とには、樹脂製のガード材を被覆する構造とした。
【０００９】
また、考案は、支持台に、有効性、利便性等の付加的要件を確保することを意図して、背板の表面を鏡面とする構造とした。
【００１０】
本考案は、支持台の背板に、スマートフォン等の携帯電話、タブレット又は小物を確実、かつ安定的に支持するために、背板の傾斜角度を確保する構成とした。
【００１１】
さらに、本考案は、支持台の背板に、携帯電話、タブレット又は小物を確実、かつ安定的に支持するために、背板の表面の角度を確保するために、ステンレス平板材を、三角山形形状に折曲げるが、この折曲げ角度を、５０°〜６０°程度にする構造として、背板の傾斜角度を、形成する構成とした。
【００１２】
また、本考案は、支持台の載板に、携帯電話、タブレット又は小物を確実、かつ安定的に支持するために、載板の上向き傾斜角度を、背板の表面から、１００°〜１２５°程度とする構成とした。
【考案の効果】
【００１３】
請求項１は、側面視して山形形状となった支持台は、背板と、後板とを三角山形形状に折曲げ形成するとともに、背板の裾部は、Ｌ形の載板とし、載板は、緩やかな上向き傾斜部と折れ曲り立上部で形成し、
載板の立上部と、後板の裾部とを被覆する樹脂製のガード材を設ける構成とした携帯電話用か、タブレット又は小物用の支持台である。
【００１４】
従って、請求項１の発明は、携帯電話用か、タブレット又は小物用の支持台として、最適な構造を提供できる。
【００１５】
請求項２は、背板の表面を鏡面とし、必要により、後板の表面を鏡面とする構成とした請求項１に記載の携帯電話用か、タブレット又は小物用の支持台である。
【００１６】
従って、請求項２の発明は、支持台に、付加的な要件と、利用分野の拡充とが図れる構造を提案できる。
【００１７】
請求項３は、載板の傾斜部に、携帯電話、タブレット又は小物の底面（側面）を載せるとともに、背板の表面に、携帯電話、タブレット又は小物の後面（後側）を添接して、縦置き、又は横置きの置き方をする構成とした請求項１に記載の携帯電話用か、タブレット又は小物用の支持台である。
【００１８】
従って、請求項３の発明は、支持台の背板に、携帯電話、タブレット又は小物を確実、かつ安定的に支持できる背板の傾斜角度の構造を提案できる。
【００１９】
請求項４は、背板の表面の角度を確保するために、三角山形形状の折曲げの角度を、５０°〜６０°程度とする構成とした請求項１に記載の携帯電話用か、タブレット又は小物用の支持台である。
【００２０】
従って、請求項４の発明は、支持台の背板に、携帯電話、タブレット又は小物を確実、かつ安定的に支持できる。
【００２１】
請求項５は、Ｌ形の載板を、背板の表面からの角度を、１００°〜１２５°程度とする構成とした請求項１に記載の携帯電話用か、タブレット又は小物用の支持台である。
【００２２】
従って、請求項５の発明は、支持台の背板に、携帯電話、タブレット又は小物を確実、かつ安定的に支持できる。
【図面の簡単な説明】
【００２３】
【図１】第１実施例の斜視図
【図２】第１実施例の側面図
【図３−１】第１実施例において、携帯電話を縦置きに設置した使用状態を示した斜視図
【図３−２】第１実施例において、携帯電話を横置きに設置した使用状態を示した斜視図
【図４】第１実施例において、支持台を次席表の台として使用した状態を示した斜視図
【図５】第２実施例の斜視図
【図６】第３実施例の斜視図
【図７】第４実施例の斜視図
【図８】第４実施例において、タブレット（アイパッド「登録商標」）を縦置きに設置した使用状態を示した斜視図
【図９】従来の支持台において、携帯電話を縦置きに設置した使用状態を示した斜視図
【考案を実施するための形態】
【００２４】
図１〜図４に示した、第１実施例において、１は支持台（支持板）で、この支持台１は、側面視して山形形状であって、例えば、１枚の鏡面付きステンレス板を、三角山形形状に折曲げて、背板２と後板３を形成する。この背板２と後板３との裾部２ａ、３ａとは、同じ面上に位置する構造であり、設置面Ｒに設けた時に、傾斜表面２００、３００が同じ傾斜角度となる。この傾斜角度を維持するために、三角山形形状の折曲げの角度を、５０°〜６０°程度で、望ましくは、５６°とする。また、背板２の裾部２ａには、Ｌ形の載板５を形成する。この載板５は、緩やかな上向きで、幅６を備えた傾斜部５００を有し、かつこの傾斜部５００の先端に折れ曲り立上部５０１を有する構造である。この載板５の傾斜部５００を確保するために、背板２の表面２００からの角度を、１００°〜１２５°程度で、望ましくは、１１３°とする。
【００２５】
この一例では、裾部３ａと、立上部５０１とに、樹脂製のＵ字形のガード材７を設ける。従って、裾部３ａに設けた場合には、設置面Ｒへの防傷と、支持台１の防滑に有効と考えられる。また、立上部５０１に設けた場合には、携帯電話Ｔ（スマートフォン）への防傷に有効と考えられる。このガード材７は、透明か、透過性彩色を利用し、素材（ステンレス板）の特徴を壊さない構造とする。
【００２６】
そして、図１〜図３−２に示した第１実施例では、背板２と後板３を、それぞれ鏡面２−１、３−１とする。この鏡面２−１、３−１は、携帯電話Ｔを添接しない状況では、鏡として利用する。例えば、図４に示した、結婚式、パーティ等の次席表Ｔ−１を取外した場合には、臨時の鏡として、活用する。勿論、図示しないが、自宅、勤務先等においても、同様な利用の仕方で（臨時の鏡としての利用で）、利便性が確保できる。
【００２７】
図中８はテーブルを示す。
【００２８】
図３−１は、第１実施例の使用状態であって、携帯電話Ｔを、載板５に縦置きした一例を示している。また、図３−２は、第１実施例の他の使用状態であって、携帯電話Ｔを、載板５に横置きした一例を示している。いずれにしても、置き方は、自由に選択できる。
【００２９】
この第１実施例における寸法の一例を説明すると、背板２と後板３の長さが、７９ｍｍ、正面の幅が６０ｍｍとし、側面において、全体の側面の幅が９５ｍｍとする。また立上部５０１は、６ｍｍとする。
【００３０】
図５に示した第２実施例では、例えば、１枚の柄（梨子地、スリット柄、その他の柄）付きステンレス板を、三角山形形状に折曲げて、背板２と後板３を形成する。この背板２は柄面２−２（梨子地、スリット柄、その他の柄による柄面２−２）が形成される。その他は、第１実施例に準ずるが、鏡としての利用は、原則としてない。
【００３１】
次に、図６に示した第３実施例は、背板２の形状を変更し、ハート形状としたが、一例であり、図示しない各種の形状がある。また、背板２、及び／又は、後板３は、前述と同様、鏡面２−１、柄面２−２の何れも可能である。尚、その他の構造、効果等は、その他の各実施例に準ずる。
【００３２】
図７、８に示した第４実施例では、例えば、第１実施例の鏡面付きステンレス板か、第２実施例に示した柄付きステンレス板を、用いて製作する。この第３実施例は、タブレットＴＴ（アイパッド）用の支持台１であり、三角山形形状に折曲げて、背板２０００と後板３０００を形成する。その他は、第１〜第３実施例に準ずるが（符号は、図面の上で、前述の例の符号を使用する）、タブレットＴＴを支持することから、次のようになる。背板２０００と後板３０００の長さが、１０３ｍｍ、正面の幅が７５ｍｍとし、側面において、全体の側面の幅が１１５ｍｍとする。また立上部５０１（前述の例の符号を使用した）は、１１ｍｍとする。また角度は共通する。この第４実施例では、載板５にクッション材１０を設けて、タブレットＴＴを保護する（他の各実施例も同じ）。
【００３３】
支持台１の使用に関して一例を説明すると、図３−１と図３−２の例の如く、携帯電話Ｔを支持する。この支持台１は、背板２の裾部２ａの曲部（符号なし）と、後板３の裾部３ａ（ガード材７）が、設置面Ｒに接触することと、この背板２の裾部２ａと後板３の裾部３ａが、末広がりであり、安定性と、後述するように、携帯電話Ｔを支持しても、転倒する虞は皆無である。この後板３の裾部３ａにガード材７があることで、設置面Ｒに接触するが、設置面Ｒ等に傷付けず、かつ支持台１の防滑に役立つ利点がある。続いて、支持の一例を説明すると、図３−１では、載板５に、携帯電話Ｔの側面の何れか、図面では、底面を載せ、かつ立上部５０１でズレ防止を図り、確実かつ安定的に、縦置きを支持する。また、背板２に、携帯電話Ｔの背面等を添接するが、その２／３が支持されることで、安定しており、しかも前記載板５に安定して支持されることと相俟って、転倒する虞は皆無である。この載板５に、携帯電話Ｔの側面の何れか、図面では、一方側面を支持し、携帯電話Ｔの表面が載板５に接触しても、ガード材７があることで、この携帯電話Ｔの表面、及び／又は、立上部５０１等に傷付けず、かつ携帯電話Ｔの防滑に役立つ利点がある。その他として、図３−２の如く、同様な方法で、横置きする方法であり、その支持と特徴は、前述の例に準ずる。この図３−１等は、何れも一例である。
【００３４】
その他の使用としては、図４の例があり、支持台１を、次席表Ｔ−１に利用する例であるが、その内容は、前述の例に準ずる。尚、図１に示した鏡面２−１は、簡易な鏡として利用する。そして、図８は、支持台１を、タブレットＴＴ用の支持として利用するが、前述の各使用例に準ずる。この例では、次席表Ｔ−１の置き方は、自由である。
【００３５】
前述した各構造は、本考案の好ましい一例の説明である。従って、本考案は前述した各実施例に限定されるものではなく、考案の趣旨の範囲において構成の一部を変更する構造とか、同じ特徴と効果を達成できる構造、等は、本考案の範疇である。
【符号の説明】
【００３６】
１        支持台
２        背板
２０００  背板
２ａ      裾部
２−１    鏡面
２−２    柄面
２００    表面
３        後板
３０００  後板
３ａ      裾部
３−１    鏡面
３００    表面
５        載板
５００    傾斜部
５０１    立上部
６        幅
７        ガード材
８        テーブル
１０      クッション材
Ｒ        設置面
Ｔ        携帯電話
ＴＴ      タブレット
Ｔ−１    次席表
【図１】
0003187419.tif 000003
【図２】
0003187419.tif 000004
【図３−１】
0003187419.tif 000005
【図３−２】
0003187419.tif 000006
【図４】
0003187419.tif 000007
【図５】
0003187419.tif 000008
【図６】
0003187419.tif 000009
【図７】
0003187419.tif 000010
【図８】
0003187419.tif 000011
【図９】
0003187419.tif 000012
【手続補正書】
【提出日】平成25年9月25日(2013.9.25)
【手続補正１】
【補正対象書類名】実用新案登録請求の範囲
【補正対象項目名】全文
【補正方法】変更
【補正の内容】
【実用新案登録請求の範囲】
【請求項１】
側面視して山形形状となった支持台は、背板と、後板とを三角山形形状に折曲げ形成するとともに、前記背板の裾部は、Ｌ形の載板とし、この載板は、緩やかな上向き傾斜部と折れ曲り立上部で形成し、
この載板の立上部と、前記後板の裾部とを被覆する樹脂製のガード材を設ける構成とした携帯電話用か、タブレット又は小物用の支持台。
【請求項２】
前記背板と、前記後板の表面を鏡面とする構成とした請求項１に記載の携帯電話用か、タブレット又は小物用の支持台。
【請求項３】
前記載板の傾斜部に、携帯電話、タブレット又は小物の底面（側面）を載せるとともに、前記背板の表面に、携帯電話、タブレット又は小物の後面（後側）を添接して、縦置き、又は横置きの置き方をする構成とした請求項１に記載の携帯電話用か、タブレット又は小物用の支持台。
【請求項４】
前記背板の表面の角度を確保するために、三角山形形状の折曲げ角度を、５０°〜６０°とする構成とした請求項１に記載の携帯電話用か、タブレット又は小物用の支持台。
【請求項５】
前記載板の傾斜部の角度を、前記背板の表面から、１００°〜１２５°とする構成とした請求項１に記載の携帯電話用か、タブレット又は小物用の支持台。
【手続補正２】
【補正対象書類名】明細書
【補正対象項目名】００１５
【補正方法】変更
【補正の内容】
【００１５】
請求項２は、背板と、後板の表面を鏡面とする構成とした請求項１に記載の携帯電話用か、タブレット又は小物用の支持台である。
【手続補正３】
【補正対象書類名】明細書
【補正対象項目名】００１９
【補正方法】変更
【補正の内容】
【００１９】
請求項４は、背板の表面の角度を確保するために、三角山形形状の折曲げ角度を、５０°〜６０°とする構成とした請求項１に記載の携帯電話用か、タブレット又は小物用の支持台である。
【手続補正４】
【補正対象書類名】明細書
【補正対象項目名】００２１
【補正方法】変更
【補正の内容】
【００２１】
請求項５は、載板の傾斜部の角度を、背板の表面から、１００°〜１２５°とする構成とした請求項１に記載の携帯電話用か、タブレット又は小物用の支持台である。